(57)【特許請求の範囲】
【請求項１】
画像を表示するディスプレーを有する画像処理装置で実行される画像編集プログラムであって、
前記ディスプレーに表示されている画像上の任意の位置を指定する位置指定ステップと、
前記位置を指定する位置指定ステップで指定された位置の色又は明るさ情報を用いて前記画像の一部分である第１のエリアを選択するエリア選択ステップと、
画像処理の少なくとも１つのパラメータの値を設定するパラメータ値設定ステップと、
前記パラメータ値設定ステップで設定したパラメータ値を成分とするベクトルであるパラメータ値ベクトルに対応する第１の画像処理を前記画像の第１のエリアに対して実行する第１の画像処理ステップと、
前記第１の画像処理ステップで実行した処理結果を前記ディスプレーに表示された画像に反映させる画像表示更新ステップと、
前記第１のエリアの前記指定された位置の情報と、前記第１のエリアに対して実行した画像処理内容とを履歴情報として記憶する履歴情報記憶ステップと、
前記履歴情報として記憶されている過去に選択した複数エリアの前記指定された位置の情報をリストとして表示する履歴リスト表示ステップと、
前記ディスプレーに表示されている画像の他の一部分である第２のエリアを選択する第２のエリア選択ステップと、
前記リストに表示された前記指定された位置の情報に基づいて選択されたエリアを第３のエリアとして、第３のエリアを表す領域を識別して表示する履歴画像表示ステップと、
前記第２のエリアを前記第３のエリアと関連付けるエリアリンクステップと、
前記エリアリンクステップでリンクした前記第２のエリアに対して、第３のエリアに対する画像処理で実行したものと同一の画像処理を実行する第２の画像処理ステップと、
前記第２の画像処理ステップで実行した処理結果を前記ディスプレーに表示された画像に反映させる第２の画像表示更新ステップと、
を備えたことを特徴とするプログラム。
【請求項２】
前記エリア選択ステップ又は前記第２のエリア選択ステップは、
それぞれ前記画像の明るさ又は色により前記エリア及び前記第２のエリアを選択することを特徴とする請求項１に記載のプログラム。
【請求項３】
前記エリア選択ステップ又は前記第２のエリア選択ステップは、
前記位置指定ステップで指定された位置の色及び明るさを検出する色・明るさ検出ステップと、
検出された色又は明るさを基準として所定範囲内の色又は明るさをもつ範囲を指定する範囲選択ステップと、
を更に有することを特徴とする請求項２に記載のプログラム。
【請求項４】
前記第１の画像処理ステップ又は前記第２の画像処理ステップは、
前記位置指定ステップで指定された位置を中心として、その中心から前記エリア選択ステップ又は前記第２のエリア選択ステップで選択されたエリアの境界に向かって、前記画像処理の効果を減少させることを特徴とする請求項３に記載のプログラム。
【請求項５】
第１の操作部材を操作して前記パラメータ値ベクトルとその方向は同じで長さの異なる微調整パラメータ値ベクトルを指定し、当該微調整パラメータ値ベクトルに対応する画像処理を前記第２のエリアに対して実行する微調整ステップを更に有することを特徴とする請求項１乃至４の内いずれか１項に記載のプログラム。
【請求項６】
第２の操作部材を操作して前記パラメータ値ベクトルとその方向が逆で長さの異なる第２の微調整パラメータ値ベクトルを指定し、当該第２の微調整パラメータ値ベクトルに対応する画像処理を前記第２のエリアに対して実行する第２の微調整ステップを更に有することを特徴とする請求項５項に記載のプログラム。
【請求項７】
前記画像処理は、前記画像の明るさ又は色を調整する処理であることを特徴とする請求項１乃至６の内いずれか１項に記載のプログラム。
【請求項８】
画像を表示するディスプレーと、
前記ディスプレーに表示されている画像上の任意の位置を指定する位置指定手段と、
前記位置指定手段が指定した位置の色又は明るさ情報を用いて前記画像の一部分である第１のエリアを選択するエリア選択手段と、
画像処理の少なくとも１つのパラメータの値を設定するパラメータ値設定手段と、
前記パラメータ値設定手段が設定したパラメータ値を成分とするベクトルであるパラメータ値ベクトルに対応する第１の画像処理を前記画像の第１のエリアに対して実行する第１の画像処理手段と、
前記第１の画像処理手段が実行した処理結果を前記ディスプレーに表示された画像に反映させる画像表示更新手段と、
前記第１のエリアの前記指定された位置の情報と、前記第１のエリアに対して実行した画像処理内容とを履歴情報として記憶する履歴情報記憶手段と、
前記履歴情報として記憶されている過去に選択した複数エリアの前記指定された位置の情報をリストとして表示する履歴リスト表示手段と、
前記ディスプレーに表示されている画像の他の一部分である第２のエリアを選択する第２のエリア選択手段と、
前記リストに表示された前記指定された位置の情報に基づいて選択されたエリアを第３のエリアとして、第３のエリアを表す領域を識別して表示する履歴画像表示手段と、
前記第２のエリアを前記第３のエリアと関連付けるエリアリンク手段と、
前記エリアリンク手段がリンクした前記第２のエリアに対して、第３のエリアに対する画像処理で実行したものと同一の画像処理を実行する第２の画像処理手段と、
前記第２の画像処理手段が実行した処理結果を前記ディスプレーに表示された画像に反映させる第２の画像表示更新手段と、
を備えたことを特徴とする画像編集装置。
【請求項９】
画像を表示するディスプレーを有する画像処理装置の画像編集方法であって、
前記ディスプレーに表示されている画像上の任意の位置を指定する位置指定ステップと、
前記位置を指定する位置指定ステップで指定された位置の色又は明るさ情報を用いて前記画像の一部分である第１のエリアを選択するエリア選択ステップと、
画像処理の少なくとも１つのパラメータの値を設定するパラメータ値設定ステップと、
前記パラメータ値設定ステップで設定したパラメータ値を成分とするベクトルであるパラメータ値ベクトルに対応する第１の画像処理を前記画像の第１のエリアに対して実行する第１の画像処理ステップと、
前記第１の画像処理ステップで実行した処理結果を前記ディスプレーに表示された画像に反映させる画像表示更新ステップと、
前記第１のエリアの前記指定された位置の情報と、前記第１のエリアに対して実行した画像処理内容とを履歴情報として記憶する履歴情報記憶ステップと、
前記履歴情報として記憶されている過去に選択した複数エリアの前記指定された位置の情報をリストとして表示する履歴リスト表示ステップと、
前記ディスプレーに表示されている画像の他の一部分である第２のエリアを選択する第２のエリア選択ステップと、
前記リストに表示された前記指定された位置の情報に基づいて選択されたエリアを第３のエリアとして、第３のエリアを表す領域を識別して表示する履歴画像表示ステップと、
前記第２のエリアを前記第３のエリアと関連付けるエリアリンクステップと、
前記エリアリンクステップでリンクした前記第２のエリアに対して、第３のエリアに対する画像処理で実行したものと同一の画像処理を実行する第２の画像処理ステップと、
前記第２の画像処理ステップで実行した処理結果を前記ディスプレーに表示された画像に反映させる第２の画像表示更新ステップと、
を備えたことを特徴とする画像編集方法。
【請求項１０】
画像を表示するディスプレーを有する画像処理装置で実行される画像編集プログラムを記録した記録媒体であって、
前記ディスプレーに表示されている画像上の任意の位置を指定する位置指定ステップと、
前記位置を指定する位置指定ステップで指定された位置の色又は明るさ情報を用いて前記画像の一部分である第１のエリアを選択するエリア選択ステップと、
画像処理の少なくとも１つのパラメータの値を設定するパラメータ値設定ステップと、
前記パラメータ値設定ステップで設定したパラメータ値を成分とするベクトルであるパラメータ値ベクトルに対応する第１の画像処理を前記画像の第１のエリアに対して実行する第１の画像処理ステップと、
前記第１の画像処理ステップで実行した処理結果を前記ディスプレーに表示された画像に反映させる画像表示更新ステップと、
前記第１のエリアの前記指定された位置の情報と、前記第１のエリアに対して実行した画像処理内容とを履歴情報として記憶する履歴情報記憶ステップと、
前記履歴情報として記憶されている過去に選択した複数エリアの前記指定された位置の情報をリストとして表示する履歴リスト表示ステップと、
前記ディスプレーに表示されている画像の他の一部分である第２のエリアを選択する第２のエリア選択ステップと、
前記リストに表示された前記指定された位置の情報に基づいて選択されたエリアを第３のエリアとして、第３のエリアを表す領域を識別して表示する履歴画像表示ステップと、
前記第２のエリアを前記第３のエリアと関連付けるエリアリンクステップと、
前記エリアリンクステップでリンクした前記第２のエリアに対して、第３のエリアに対する画像処理で実行したものと同一の画像処理を実行する第２の画像処理ステップと、
前記第２の画像処理ステップで実行した処理結果を前記ディスプレーに表示された画像に反映させる第２の画像表示更新ステップと、
を備えたプログラムを記録した記録媒体。
【発明の詳細な説明】
【技術分野】
【０００１】
本発明は、画像の明るさ又は色を調整する際、自然な仕上がりに画像を調整することができ、また容易な操作で画像を調整することができる画像編集技術に関する。
【背景技術】
【０００２】
従来、画像に対して明るさや色などを調整する画像処理を施す場合、処理対象画像全体又は主要部分をディスプレーに表示し、利用者がその画像を観察しながら、調整用のスライダーやダイヤルをマウス等で操作しながら、所望の画像となるようにトーンカーブやカラーバランスを変更して調整していた（例えば、特許文献１参照）。
【特許文献１】特開２００２−１５２４９６号公報
【発明の開示】
【発明が解決しようとする課題】
【０００３】
しかし、トーンカーブを変更する方法では、トーンカーブを変更した結果、画像のどの部分が影響を受けることになるかが利用者には分かりづらいという問題があった。また、カラーバランスを変更する方法では、基本的に画像全体について色調整が行われるため、色調整を必要としない部分まで色が変更されてしまうことが多い。  
また、画像処理を施す範囲を選択して、一部分の画像に対して画像処理を施した場合には、画像処理を施した部分と施さなかった部分との境界がハッキリと現れて不自然な画像ができあがってしまうことが多い。  
このように、従来のトーンカーブやカラーバランスを変更して画像を調整する方法は、熟練を要する方法であり、画像処理の初心者が実施しようとした場合は、試行錯誤を繰り返すこととなり、必ずしも操作し易いものではなかった。
【０００４】
本発明は、かかる事情に鑑みてなされたものであり、画像の明るさ又は色を調整する際、自然な仕上がりに画像を調整することができ、また容易な操作で画像を調整することができる画像編集プログラム、画像編集方法、画像編集装置及び記録媒体を提供することを目的とする。
【課題を解決するための手段】
【０００５】
上記課題を解決するための、本発明に係る請求項１に記載の画像編集プログラムは、画像を表示するディスプレーを有する画像処理装置で実行される画像編集プログラムであって、前記ディスプレーに表示されている画像上の任意の位置を指定する位置指定ステップと、前記位置を指定する位置指定ステップで指定された位置の色又は明るさ情報を用いて前記画像の一部分である第１のエリアを選択するエリア選択ステップと、画像処理の少なくとも１つのパラメータの値を設定するパラメータ値設定ステップと、前記パラメータ値設定ステップで設定したパラメータ値を成分とするベクトルであるパラメータ値ベクトルに対応する第１の画像処理を前記画像の第１のエリアに対して実行する第１の画像処理ステップと、前記第１の画像処理ステップで実行した処理結果を前記ディスプレーに表示された画像に反映させる画像表示更新ステップと、前記第１のエリアの前記指定された位置の情報と、前記第１のエリアに対して実行した画像処理内容とを履歴情報として記憶する履歴情報記憶ステップと、前記履歴情報として記憶されている過去に選択した複数エリアの前記指定された位置の情報をリストとして表示する履歴リスト表示ステップと、前記ディスプレーに表示されている画像の他の一部分である第２のエリアを選択する第２のエリア選択ステップと、前記リストに表示された前記指定された位置の情報に基づいて選択されたエリアを第３のエリアとして、第３のエリアを表す領域を識別して表示する履歴画像表示ステップと、前記第２のエリアを前記第３のエリアと関連付けるエリアリンクステップと、前記エリアリンクステップでリンクした前記第２のエリアに対して、第３のエリアに対する画像処理で実行したものと同一の画像処理を実行する第２の画像処理ステップと、前記第２の画像処理ステップで実行した処理結果を前記ディスプレーに表示された画像に反映させる第２の画像表示更新ステップとを備えた。
【０００６】
また本発明の請求項２に記載の画像編集プログラムは、上記記載の発明である画像編集プログラムにおいて、前記エリア選択ステップ又は前記第２のエリア選択ステップは、それぞれ前記画像の明るさ又は色により前記エリア及び前記第２のエリアを選択する。
【０００７】
また本発明の請求項３に記載の画像編集プログラムは、上記記載の発明である画像編集プログラムにおいて、前記エリア選択ステップ又は前記第２のエリア選択ステップは、前記位置指定ステップで指定された位置の色及び明るさを検出する色・明るさ検出ステップと、検出された色又は明るさを基準として所定範囲内の色又は明るさをもつ範囲を指定する範囲選択ステップと、を更に有する。
【０００８】
また本発明の請求項４に記載の画像編集プログラムは、上記記載の発明である画像編集プログラムにおいて、前記第１の画像処理ステップ又は前記第２の画像処理ステップは、前記位置指定ステップで指定された位置を中心として、その中心から前記エリア選択ステップ又は前記第２のエリア選択ステップで選択されたエリアの境界に向かって、前記画像処理の効果を減少させる。
【０００９】
また本発明の請求項５に記載の画像編集プログラムは、上記記載の発明である画像編集プログラムにおいて、第１の操作部材を操作して前記パラメータ値ベクトルとその方向は同じで長さの異なる微調整パラメータ値ベクトルを指定し、当該微調整パラメータ値ベクトルに対応する画像処理を前記第２のエリアに対して実行する微調整ステップを更に有する。
【００１０】
また本発明の請求項６に記載の画像編集プログラムは、上記記載の発明である画像編集プログラムにおいて、第２の操作部材を操作して前記パラメータ値ベクトルとその方向が逆で長さの異なる第２の微調整パラメータ値ベクトルを指定し、当該第２の微調整パラメータ値ベクトルに対応する画像処理を前記第２のエリアに対して実行する第２の微調整ステップを更に有する。
【００１１】
また本発明の請求項７に記載の画像編集プログラムは、上記記載の発明である画像編集プログラムにおいて、前記画像処理は、前記画像の明るさ又は色を調整する処理である。
【００１２】
また本発明に係る請求項８に記載の画像編集装置は、画像を表示するディスプレーと、前記ディスプレーに表示されている画像上の任意の位置を指定する位置指定手段と、前記位置指定手段が指定した位置の色又は明るさ情報を用いて前記画像の一部分である第１のエリアを選択するエリア選択手段と、画像処理の少なくとも１つのパラメータの値を設定するパラメータ値設定手段と、前記パラメータ値設定手段が設定したパラメータ値を成分とするベクトルであるパラメータ値ベクトルに対応する第１の画像処理を前記画像の第１のエリアに対して実行する第１の画像処理手段と、前記第１の画像処理手段が実行した処理結果を前記ディスプレーに表示された画像に反映させる画像表示更新手段と、前記第１のエリアの前記指定された位置の情報と、前記第１のエリアに対して実行した画像処理内容とを履歴情報として記憶する履歴情報記憶手段と、前記履歴情報として記憶されている過去に選択した複数エリアの前記指定された位置の情報をリストとして表示する履歴リスト表示手段と、前記ディスプレーに表示されている画像の他の一部分である第２のエリアを選択する第２のエリア選択手段と、前記リストに表示された前記指定された位置の情報に基づいて選択されたエリアを第３のエリアとして、第３のエリアを表す領域を識別して表示する履歴画像表示手段と、前記第２のエリアを前記第３のエリアと関連付けるエリアリンク手段と、前記エリアリンク手段がリンクした前記第２のエリアに対して、第３のエリアに対する画像処理で実行したものと同一の画像処理を実行する第２の画像処理手段と、前記第２の画像処理手段が実行した処理結果を前記ディスプレーに表示された画像に反映させる第２の画像表示更新手段とを備えた。
【００１３】
また本発明に係る請求項９に記載の画像編集方法は、画像を表示するディスプレーを有する画像処理装置の画像編集方法であって、前記ディスプレーに表示されている画像上の任意の位置を指定する位置指定ステップと、前記位置を指定する位置指定ステップで指定された位置の色又は明るさ情報を用いて前記画像の一部分である第１のエリアを選択するエリア選択ステップと、画像処理の少なくとも１つのパラメータの値を設定するパラメータ値設定ステップと、前記パラメータ値設定ステップで設定したパラメータ値を成分とするベクトルであるパラメータ値ベクトルに対応する第１の画像処理を前記画像の第１のエリアに対して実行する第１の画像処理ステップと、前記第１の画像処理ステップで実行した処理結果を前記ディスプレーに表示された画像に反映させる画像表示更新ステップと、前記第１のエリアの前記指定された位置の情報と、前記第１のエリアに対して実行した画像処理内容とを履歴情報として記憶する履歴情報記憶ステップと、前記履歴情報として記憶されている過去に選択した複数エリアの前記指定された位置の情報をリストとして表示する履歴リスト表示ステップと、前記ディスプレーに表示されている画像の他の一部分である第２のエリアを選択する第２のエリア選択ステップと、前記リストに表示された前記指定された位置の情報に基づいて選択されたエリアを第３のエリアとして、第３のエリアを表す領域を識別して表示する履歴画像表示ステップと、前記第２のエリアを前記第３のエリアと関連付けるエリアリンクステップと、前記エリアリンクステップでリンクした前記第２のエリアに対して、第３のエリアに対する画像処理で実行したものと同一の画像処理を実行する第２の画像処理ステップと、前記第２の画像処理ステップで実行した処理結果を前記ディスプレーに表示された画像に反映させる第２の画像表示更新ステップとを備えた。
【００１４】
また本発明に係る請求項１０に記載の記録媒体は、画像を表示するディスプレーを有する画像処理装置で実行される画像編集プログラムを記録した記録媒体であって、前記ディスプレーに表示されている画像上の任意の位置を指定する位置指定ステップと、前記位置を指定する位置指定ステップで指定された位置の色又は明るさ情報を用いて前記画像の一部分である第１のエリアを選択するエリア選択ステップと、画像処理の少なくとも１つのパラメータの値を設定するパラメータ値設定ステップと、前記パラメータ値設定ステップで設定したパラメータ値を成分とするベクトルであるパラメータ値ベクトルに対応する第１の画像処理を前記画像の第１のエリアに対して実行する第１の画像処理ステップと、前記第１の画像処理ステップで実行した処理結果を前記ディスプレーに表示された画像に反映させる画像表示更新ステップと、前記第１のエリアの前記指定された位置の情報と、前記第１のエリアに対して実行した画像処理内容とを履歴情報として記憶する履歴情報記憶ステップと、前記履歴情報として記憶されている過去に選択した複数エリアの前記指定された位置の情報をリストとして表示する履歴リスト表示ステップと、前記ディスプレーに表示されている画像の他の一部分である第２のエリアを選択する第２のエリア選択ステップと、前記リストに表示された前記指定された位置の情報に基づいて選択されたエリアを第３のエリアとして、第３のエリアを表す領域を識別して表示する履歴画像表示ステップと、前記第２のエリアを前記第３のエリアと関連付けるエリアリンクステップと、前記エリアリンクステップでリンクした前記第２のエリアに対して、第３のエリアに対する画像処理で実行したものと同一の画像処理を実行する第２の画像処理ステップと、前記第２の画像処理ステップで実行した処理結果を前記ディスプレーに表示された画像に反映させる第２の画像表示更新ステップとを備えた。
【発明の効果】
【００１５】
本発明によれば、画像の明るさ又は色を調整する際、自然な仕上がりに画像を調整することができ、また容易な操作で画像を調整することができる。
【発明を実施するための最良の形態】
【００１６】
［第１の実施の形態］
本発明の実施の形態に係る画像編集方法では、画像処理装置の表示部に表示される画像編集画面に基づいて、ユーザが画像処理操作を実行する。  
図１は、本発明の第１の実施の形態の画像編集方法による画像編集画面の構成を示す図である。
【００１７】
画像編集画面１は、ツールバーエリア２、色調整設定表示エリア３及び編集画像表示エリア４で構成されている。ツールバーエリア２には、画像編集に関する操作を行うための各種ボタンが設けられている。色調整設定表示エリア３には、ユーザが画像処理操作を行うための操作ボタンなどが設けられている。編集画像表示エリア４には、処理対象画像が表示される。
【００１８】
ツールバーエリア２には、読み込みボタン１１、保存ボタン１２、元に戻すボタン１３及び編集終了ボタン１９が設けられている。  
読み込みボタン１１を操作すると、画像処理対象の画像が編集画像表示エリア４に表示される。保存ボタン１２を操作すると、ユーザが画像処理した結果の画像が保存される。元に戻すボタン１３を操作すると、現在の画像処理状態を破棄し、直前の画像処理状態が復元される。編集終了ボタン１９を操作すると、画像編集画面１が終了する。
【００１９】
色調整設定表示エリア３には、画像処理のための操作ボタン等を備えた複数のグループ、即ち、調整内容グループ６、調整範囲グループ７及び調整位置情報グループ８が設けられている。  
調整内容グループ６には、画像の調整項目を指定するための複数のラジオボタン２１、及びその調整項目の調整量を設定するステップスライダ２２が設けられている。そして、ラジオボタン２１からは、調整する項目として「明度」、「彩度」、「色相」、「赤」、「緑」、「青」を選択することができる。  
調整範囲グループ７には、画像処理が施される対象領域を設定するための範囲スライダ２３、色又は明るさのグラデーションを設定するためのぼかし度スライダ２４が設けられている。
【００２０】
調整位置情報グループ８には、調整位置リスト２５、リンクボタン２６、リンク解除ボタン２７、削除ボタン２８及び微調整スライダ２９が設けられている。調整位置リスト２５には、画像処理操作を行った履歴情報が表示される。リンクボタン２６、及びリンク解除ボタン２７は、画像処理操作の間のつながり（リンク）を指定するための操作ボタンである。微調整スライダ２９は、画像処理結果を微調整するための操作部材である。
【００２１】
続いて、色調整設定表示エリア３に設けられている各グループ６，７，８の処理機能について詳細に説明する。  
図２は、調整内容グループ６を抽出して示す図である。  
ラジオボタン２１を選択すると、画像処理において調整する項目を選択することができる。「明度」を選択すると、画像の明るさを変更することができる。「彩度」を選択すると、画像の彩度を変更することができる。「色相」を選択すると、画像の色相を変更することができる。「赤」を選択すると、画像の赤成分を変更することができる。「緑」を選択すると、画像の緑成分を変更することができる。「青」を選択すると、画像の青成分を変更することができる。
【００２２】
ここで、明度・彩度・色相と赤・緑・青の関係を図３を参照しつつ説明する。  
赤、緑、青の強度をそれぞれ座標軸とする三次元座標系を定義する。原点を始点とし、赤軸、緑軸、青軸からの距離が等しい点を終点とするベクトルを考える。このベクトルは、彩度が０（無彩色）である状態を表している。このベクトルを無彩色ベクトルと呼ぶ。  
一方、任意の赤・緑・青の強度値（座標値）を持つベクトルを考えると、色相、彩度、明度は次のように定義される、  
色相は、赤軸と上記ベクトルとのなす角度で定義される。また、座標点（赤、緑、青）＝（１、０、０）、（０、１、０）、（０、０、１）を通る平面を考えると、彩度は、無彩色ベクトルと上記ベクトルとの、この平面上におけるユークリッド距離で定義される。明度は、上記ベクトルの大きさで定義される。
【００２３】
図２に戻り、ステップスライダ２２を操作して、マウスの１度のクリック操作やキーボードの任意のキーの一度の押下操作で変化する画像調整量を設定することができる。スライドバー２２ａを操作すると、表示枠２２ｂには画像調整量がデジタルで表示される。なお、色相の場合は、回転角度を表している。  
そして、この画像調整量だけ色又は明るさを増加し、減少することができる。例えば、対象画像上にマウスポインタを移動し、マウスの左クリックやキーボードの任意のキーを押下するとその位置の色又は明るさの値を表示枠２２ｂに表示された値だけ増加させる。調整対象が色相の場合は角度を表示枠２２ｂに表示された値だけ右に回転する。対象画像上にマウスポインタを移動し、マウスの右クリックやキーボードの任意のキーを押下するとその位置の色又は明るさの値を表示枠２２ｂに表示された値だけ減少させる。調整対象が色相の場合は角度を表示枠２２ｂに表示された値だけ左に回転する。
【００２４】
図４は、調整範囲グループ７を抽出して示す図である。  
範囲スライダ２３を操作し、処理対象画像上の選択された位置の色を基準として、どの程度離れた色までを調整対象範囲とするかを設定することができる。スライドバー２３ａを操作すると、表示枠２３ｂには調整対象範囲の境界値を与える画像調整量（差分値）がデジタルで表示される。なお、色相の場合は、回転角度を表している。  
ぼかし度スライダ２４からは、処理対象画像上の選択された位置から調整対象範囲の端までの色の変化状態（ぼかし度）を設定する。スライドバー２４ａを操作すると、表示枠２４ｂにはぼかし度がデジタルで表示される。
【００２５】
図５は、ぼかし度を説明する図である。  
図５中の縦軸は色調整適用率を表している。色調整適用率１００％とは、調整内容グループ６で設定した処理を画像に適用することを意味し、色調整適用率０％とは、調整内容グループ６で設定した処理を画像に適用しないことを意味している。  
図５中の横軸は選択範囲内の位置を表している。座標原点は画像上の選択された位置を表し、選択範囲端までが有効な範囲である。
【００２６】
図５の実線で表される特性曲線では、色調整適用率が選択位置（原点）から選択範囲端まで変化するカーブが表されている。ぼかし度が小とは、選択範囲端の近くまで色調整率１００％が適用されることを意味している。また、ぼかし度が大とは、色調整率１００％が適用される範囲が狭いことを意味している。  
このぼかし度は、上述の特性を代表できるパラメータであれば良く、例えば、特性曲線の曲率などを用いることができる。
【００２７】
図６は、調整位置情報グループ８を抽出して示す図である。  
調整位置リスト２５には、処理対象画像上の選択された位置が、例えば、座標点として表示される。図６では、第１回目にはマウスなどを用いて、画像上の点（１００、１５０）が指定され、第２回目には画像上の点（５０、２００）が指定されたことが表されている。  
また、第３回目には画像上の点（７０、１２０）が指定されたことが示されるとともに、リンク情報がＬｉｎｋ＝２と表示されている。これは、第３回目では第２回目で使用した調整内容が適用されたことを表している。
【００２８】
リンクボタン２６を操作すると、既に設定されている色調整情報が現在の選択範囲に適用される。そして、調整位置リスト２５で選択されている項目にリンク情報が付加される。リンク解除ボタン２７を操作すると、調整位置リスト２５で選択されている項目がリンク情報を有しているときは、そのリンクが解除される。削除ボタン２８を操作すると、調整位置リスト２５で選択されている項目が削除される。  
微調整スライダ２９を操作して、調整位置リスト２５で選択された調整位置で施された調整量を全体として大きくしたり小さくしたりすることができる。スライドバー２９ａを操作すると、表示枠２９ｂには画像の微調整量がデジタルで表示される。
【００２９】
続いて、画像編集画面１を用いた画像処理方法について説明する。  
（１）色調整位置の選択操作  
図７は、色調整位置の選択操作を示す図である。  
ユーザは、調整項目を調整内容グループ６内で選択する。そして、編集画像内の色を変更したい部分にマウスカーソル１７を合わせてクリックする。すると、調整範囲グループ７の設定に基づいて、色が変更される範囲が枠線で囲まれて表示される。
【００３０】
また、調整内容グループ６と調整範囲グループ７での設定に基づいて、色調整が行われる。即ち、マウスをクリックする度に、調整項目についての調整量が表示枠２２ｂで示された値だけ、インクリメントあるいはデクリメントされて編集画像に反映される。調整範囲グループ７内の範囲スライドバー２３ａを操作すると表示枠２３ｂの数字が変化して、編集画像内の調整範囲が変化する、即ち、枠線の囲む領域が変化する。ぼかし度スライドバー２４ａを操作すると表示枠２４ｂの数字が変化して、調整範囲内のグラデーションが変化する。  
調整位置情報グループ８の調整位置リスト２５には、編集画像上でクリックされた位置が表示される。そして、調整内容と調整範囲と画像内クリック座標とが画像処理装置に記憶される。
【００３１】
（２）色の再調整・追加調整  
図８は、色の再調整・追加調整の操作を示す図である。  
ユーザは、色の再調整・追加調整を行いたい範囲を調整位置情報グループ８内の調整位置リスト２５から選択する。すると、選択された調整位置に基づいて、編集画像内の色が変更される範囲が枠線で囲まれて表示される。  
ユーザが、枠線で囲まれた領域をマウスでクリックする度に、調整項目についての調整量が表示枠２２ｂで示された値だけ、インクリメントあるいはデクリメントされて編集画像に反映される。このとき、調整位置リスト２５で選択された項目が、リンク元である場合は、リンクしている項目の範囲も同じ内容で調整される。即ち、調整位置リスト２５の第４番目の調整内容を変更すると、それとリンクしている第５番目の調整内容も変更される。
【００３２】
（３）色調整のリンク  
図９は、色調整のリンクを行う操作を示す図である。この操作は、同じ色調整を行いたい場合に、容易に行える点に特徴がある。  
ユーザは、調整したい項目を調整内容グループ６内で選択する。そして、編集画像内の色を変更したい部分にマウスカーソル１７を合わせてクリックする。すると、調整範囲グループ７の設定に基づいて、色が変更される範囲が枠線で囲まれて表示され、調整内容グループ６と調整範囲グループ７との設定に基づいて、色調整が行われる。
【００３３】
次にユーザが、調整位置情報グループ８内の調整位置リスト２５からリンクしたい調整位置（リンク元）を選択する。すると、選択された調整位置に基づいて、編集画像内に調整範囲が枠線で囲まれて表示される。  
ユーザがリンクボタン２６を押すと、選択された調整位置の色調整内容が調整したい範囲に適用される。即ち、リンク元の色調整内容がリンク先の調整範囲に適用される。そして、調整位置リスト２５の該当項目にリンクを示す情報が付加される。図９の位置調整リスト２５には、第５番目の項目にリンクを示す情報（Ｌｉｎｋ＝４）が付加されている。
【００３４】
（４）個別範囲毎の微調整  
図１０は、個別範囲毎の微調整を行う操作を示す図である。色調整を行ったとき、調整する方向は基本的には問題ないが、調整量が適正な値よりも大きかったり、小さかったりする場合がある。本微調整は、このような場合に対応する機能である。
【００３５】
ユーザは、微調整を行いたい範囲を調整位置情報グループ８内の調整位置リスト２５から選択する。すると、選択された調整位置に基づいて、編集画像内の色を変更する範囲が枠線で囲まれて表示される。  
ユーザが、微調整スライダ２９を右方向（＋方向）に調整することで、元の色調整よりも調整値を増加させた値で調整が行われる。一方、微調整スライダ２９を左方向（−方向）に調整することで、元の色調整よりも調整値を減少させた値で調整が行われる。なお、微調整が行われる範囲は、調整位置リスト２５から選択された調整位置に対応する範囲であり、もし何らかのリンクが設定されている場合であっても、他の調整位置に対応する範囲には影響を与えない。
【００３６】
（５）色調整のリンク解除  
図１１は、色調整のリンク解除の操作を示す図である。この操作は、色調整のリンクを解除して単独で色調整を行う場合に使用される。  
ユーザは、調整位置情報グループ８内の調整位置リスト２５からリンクを解除したい項目を選択する。すると、選択された調整位置に基づいて、編集画像内の色を変更する範囲が枠線で囲まれて表示される。そこで、ユーザがリンク解除ボタン２７を押すと、リンクが解除され、調整位置リスト２５の該当項目からリンクを示す情報が消去される。図１１の位置調整リスト２５には、第５番目の項目にリンクを示す情報（Ｌｉｎｋ＝４）が付加されているが、この情報が消去される。
【００３７】
（６）色調整情報の削除  
図１２は、色調整情報の削除の操作を示す図である。この操作は、不要となった色調整情報を削除する場合に使用される。  
ユーザは、調整位置情報グループ８内の調整位置リスト２５から不要となった項目を選択する。すると、選択された調整位置に基づいて、編集画像内の色を変更する範囲が枠線で囲まれて表示される。そこで、ユーザが削除ボタン２８を押すと、表示されている枠線が消え、色調整の効果がなくなって原画像の色に復帰する。そして、調整位置リスト２５の該当項目が消去される。図１２の位置調整リスト２５に表示されている第４番目の項目が消去される。このとき、選択された項目はリンク元となっているが、リンク先の色調整内容には影響を及ぼさない。即ち、第５番目の項目からリンクを示す情報（Ｌｉｎｋ＝４）が消去されるが、色調整情報は変化しない。
【００３８】
続いて、上述の画像編集方法を実現するための画像処理装置の構成と、その主な処理手順について説明する。
【００３９】
図１３は、画像処理装置３０の構成を示す図である。画像処理装置３０は、表示部３１、操作入力部３２、通信インターフェース３３、情報管理ＤＢ３４、情報メモリ３５、プログラムメモリ３６、処理部３７を備えている。
【００４０】
表示部３１は、画像編集画面１を表示するＣＲＴまたはＴＦＴ液晶ディスプレイである。操作入力部３２は、ユーザからの操作指示入力を受取るためのキーボード、マウス等の入力デバイスである。通信インターフェース３３は、例えばデジタルカメラ等の外部装置（不図示）との間で画像フアイル等の情報を通信により授受するためのインターフェースである。情報管理ＤＢ３４は、調整位置情報などの履歴を記憶する。情報メモリ３５は、操作に係る情報あるいは画像編集処理に必要な情報を格納するバッファメモリである。プログラムメモリ３６は、画像処理装置３０の各機能を制御するプログラムを保存する。処理部３７は、画像処理装置３０の動作を統括的に制御する。
【００４１】
次に、画像編集処理の概略の手順を図１４〜図２５を参照しつつ説明する。なお、以下に説明する処理は、画像編集処理機能の内主な機能に関する処理である。従って、以下の説明に記載されていない機能であっても、図１乃至図１３の説明に記載された機能は画像編集処理機能に含まれる。
【００４２】
図１４、図１５は、画像編集処理のメインの処理手順を示すフロー図である。ユーザが画像処理装置３０を起動して、表示部３１に画像編集画面１を表示すると、本画像編集処理が起動してユーザの操作入力を待機する状態となる。
【００４３】
ユーザが読み込みボタン１１を操作すると、図１４のステップＳ０１において、処理部３７は、読み込みボタン１１が押されたことを検出し、ステップＳ０２に示す画像読み込み処理（図１６）を起動する。  
図１６のステップＴ０１において、編集画像表示エリア４に既に読み込み済みの画像が表示されているかどうかを調べる。ステップＴ０１でＹｅｓの場合、即ち、読み込み済みの画像が表示されている場合は、ステップＴ０２に示す画像保存処理（図１７）を起動する。  
図１７のステップＴ０７において、編集画像表示エリア４に表示されている画像が編集されているかどうかを調べる。ステップＴ０７でＹｅｓの場合、即ち、編集されている場合は、ステップＴ０８において、ユーザの指定場所に当該画像を保存して終了する。一方、ステップＴ０７でＮｏの場合、即ち、編集されていない場合は、当該画像は保存せずに終了する。
【００４４】
図１６に戻り、ステップＴ０３〜Ｔ０４において、ユーザの指定する画像を情報メモリ３５から、あるいは、通信インターフェース３３を介して外部装置（不図示）から読み込み、編集画像表示エリア４に編集画像として表示する。  
そして、ユーザの次の操作を待機する。
【００４５】
ユーザが保存ボタン１２を操作すると、図１４のステップＳ０３において、処理部３７は、保存ボタン１２が押されたことを検出し、ステップＳ０４に示す画像保存処理（図１７）を起動する。なお、画像保存処理は既に説明しているため、再度の説明は省略する。  
そして、ユーザの次の操作を待機する。
【００４６】
ユーザが元に戻すボタン１３を操作すると、図１４のステップＳ０５において、処理部３７は、元に戻すボタン１３が押されたことを検出し、ステップＳ０６に示す元に戻す処理（図１８）を起動する。この処理は、編集画像を１つ前の編集状態に戻す処理である。  
図１８のステップＴ１１において、現在表示されている編集画像について画像処理を行った履歴が存在するかどうかを調べる。ステップＴ１１でＮｏの場合、即ち、画像処理を行った履歴がない場合は、元に戻す情報がないため処理を終了する。
【００４７】
ステップＴ１１でＹｅｓの場合、即ち、画像処理を行った履歴がある場合は、ステップＴ１２〜Ｔ１４において、画像処理履歴を読み込み、現在表示されている編集画像を消去して画像処理履歴の１つ前の状態に編集画像表示エリア４を更新する。  
そしてステップＴ１５において、画像処理履歴の情報に基づいて調整内容グループ６、調整範囲グループ７、調整位置情報グループ８の表示内容を更新する。  
そして、ユーザの次の操作を待機する。
【００４８】
ユーザが調整内容グループ６のラジオボタン２１を操作すると、図１４のステップＳ１１において、処理部３７は、ラジオボタン２１が押されたことを検出し、ステップＳ１２において、調整すべき内容を変更する。  
そして、ユーザの次の操作を待機する。
【００４９】
ユーザが調整内容グループ６のステップスライダ２２を操作すると、図１４のステップＳ１３において、処理部３７は、スライドバー２２ａが操作されたことを検出し、ステップＳ１４において、操作量に対応した調整量を算出して表示枠２２ｂに表示する。  
そして、ユーザの次の操作を待機する。
【００５０】
ユーザが調整範囲グループ７の範囲スライダ２３を操作すると、図１４のステップＳ１５において、処理部３７は、スライドバー２３ａが操作されたことを検出し、ステップＳ１６において、操作量に対応した調整量を算出して表示枠２３ｂに表示する。  
そして、ユーザの次の操作を待機する。
【００５１】
ユーザが調整範囲グループ７のぼかし度スライダ２４を操作すると、図１４のステップＳ１７において、処理部３７は、スライドバー２４ａが操作されたことを検出し、ステップＳ１８において、操作量に対応した調整量を算出して表示枠２４ｂに表示する。  
そして、ユーザの次の操作を待機する。
【００５２】
ユーザが編集画像上にマウスポインタ１７を移動してクリックすると、図１５のステップＳ２１において、処理部３７は、編集画像内でクリックされたことを検出し、ステップＳ２２において、現在の画像の調整状態を画像履歴として保存する。そして、ステップＳ２３に示す色変更位置の選択処理（図１９）を実行する。
【００５３】
図１９のステップＴ２１において、処理部３７は、クリックされた位置の編集画像の色情報（色、明るさ）を取得する。続いて、ステップＴ２２において、調整内容グループ６の設定値である調整項目とステップスライダ２２の調整量を取得する。ステップＴ２３において、調整範囲グループ７の設定値である範囲スライダ２３の調整量とぼかし度スライダ２４の値とを取得する。  
次に、ステップＴ２４において、編集画像の色情報の内、調整内容グループ６で設定された調整項目について、ステップスライダ２２の調整量を加えた新たな調整値を算出する。そして、ステップＴ２５において、新たな調整値を基準として範囲スライダ２３の調整量で定まる範囲を調整する範囲として算出する。また、ステップＴ２６において、調整する範囲の端まで、ぼかし度スライダ２４の値に基づいて色調整適用率を適用した新たな調整値を計算する。そして、ステップＴ２７において、調整範囲を枠線で表示すると共に調整範囲内を新たな調整色で表示する。  
そして、ユーザの次の操作を待機する。
【００５４】
ユーザが編集画像上の枠線内にマウスポインタ１７を移動してクリックすると、図１５のステップＳ２６において、処理部３７は、枠線内でクリックされたことを検出し、ステップＳ２７において、現在の画像の調整状態を画像履歴として保存する。そして、ステップＳ２８に示す色の再調整・追加調整処理（図２０）を実行する。
【００５５】
図２０のステップＴ３１において、処理部３７は、調整範囲グループ７の設定値である範囲スライダ２３の調整量とぼかし度スライダ２４の値とを取得する。そして、ステップＴ３２において、クリックされた位置の編集画像の色情報（色、明るさ）を取得する。続いて、ステップＴ３３において、調整内容グループ６の設定値である調整項目とステップスライダ２２の調整量を取得する。
【００５６】
次に、ステップＴ３４において、編集画像の色情報の内、調整内容グループ６で設定された調整項目について、ステップスライダ２２の調整量を加えた新たな調整値を算出する。そして、ステップＴ３５において、新たな調整値を基準として範囲スライダ２３の調整量で定まる範囲を調整する範囲として算出する。また、調整する範囲の端まで、ぼかし度スライダ２４の値に基づいて色調整適用率を適用した新たな調整値を計算する。そして、ステップＴ３６〜Ｔ３７において、取得した調整範囲の値に基づいて新たな範囲を枠線で表示すると共に調整範囲内を新たな調整色で表示する。  
そして、ユーザの次の操作を待機する。
【００５７】
ユーザが調整位置情報グループ８のリンクボタン２６を操作すると、図１５のステップＳ３１において、処理部３７は、リンクボタン２６が押されたことを検出し、ステップＳ３２に示す色調整のリンク処理（図２１）を実行する。
【００５８】
図２１のステップＴ４１において、調整位置リスト２５内に選択されている項目があるかどうかを調べる。ステップＴ４１でＮｏの場合、即ち、選択されている項目がない場合は、リンクを付けることができないため処理を終了する。
【００５９】
一方、ステップＴ４１でＹｅｓの場合、即ち、選択されている項目がある場合は、ステップＴ４２において、当該項目についての色調整情報を読み出し、ステップＴ４３において、編集画像に表示している調整枠内の範囲にこの色調整情報を適用する。この際、適用前の調整情報は破棄される。  
そして、ステップＴ４４〜Ｔ４５において、現在表示している調整位置情報に選択されている色調整情報をリンクさせるための情報を付加し、リンク情報を調整位置リスト２５内の現在の調整位置情報に付加して表示する。  
そして、ユーザの次の操作を待機する。
【００６０】
ユーザが調整位置情報グループ８のリンク解除ボタン２７を操作すると、図１５のステップＳ３５において、処理部３７は、リンク解除ボタン２７が押されたことを検出し、ステップＳ３６に示す色調整のリンク解除処理（図２２）を実行する。
【００６１】
図２２のステップＴ５１において、調整位置リスト２５内の選択されている項目にリンク情報があるかどうかを調べる。ステップＴ５１でＮｏの場合、即ち、選択されている項目にリンク情報がない場合は、リンクを削除することができないため処理を終了する。  
一方、ステップＴ５１でＹｅｓの場合、即ち、選択されている項目にリンク情報がある場合は、ステップＴ５２において、リンクしている当該項目の元の色調整情報を読み出し、ステップＴ５３において、付加されたリンク情報を削除する。そして、ステップＴ５４において、元の色調整情報を設定された範囲に適用する。
【００６２】
そして、ユーザの次の操作を待機する。
【００６３】
ユーザが調整位置情報グループ８の削除ボタン２８を操作すると、図１５のステップＳ４１において、処理部３７は、削除ボタン２８が押されたことを検出し、ステップＳ４２に示す色調整情報の削除処理（図２３）を実行する。
【００６４】
図２３のステップＴ６１において、調整位置リスト２５内で選択されている項目がリンク元となっているかどうかを調べる。ステップＴ６１でＮｏの場合、即ち、選択されている項目がリンク元となっていない場合は、ステップＴ６２、Ｔ６３を実行せずにステップＴ６４の処理を実行する。  
一方、ステップＴ６１でＹｅｓの場合、即ち、選択されている項目がリンク元となっている場合は、ステップＴ６２〜Ｔ６３において、リンク先の項目を取得し、その項目に対してリンク元の色調整情報を設定する。  
ステップＴ６４において、選択されている項目の位置情報、色調整情報を削除し、ステップＴ６５において、当該項目を削除したときに最新となる項目についての編集画像を表示する。  
そして、ユーザの次の操作を待機する。
【００６５】
ユーザが調整位置情報グループ８の微調整スライダ２９を操作すると、図１５のステップＳ４５において、処理部３７は、微調整スライダ２９が操作されたことを検出し、ステップＳ４６に示す微調整処理（図２４）を実行する。この微調整処理は、調整位置リスト２５で選択されている項目についてのみ適用される。
【００６６】
図２４のステップＴ７１において、現在の色調整情報を取得する。ステップＴ７２において、元の状態と現在の色調整情報とから付加された調整値を複数算出する。次に、付加されたそれぞれの調整値に対して、微調整スライダ２９の選択位置に対応する値を用いて補正し、ステップＴ７４において、元の状態に対して補正した調整値を用いた画像処理を適用する。  
そして、ユーザの次の操作を待機する。
【００６７】
ユーザが編集終了ボタン１９を押すと、図１５のステップＳ５１において、処理部３７は、編集終了ボタン１９が押されたことを検出し、ステップＳ５２に示す編集終了処理（図２５）を実行する。  
図２５のステップＴ８１において、画像保存処理（図１７）を実行する。この処理は既に説明しているため、再度の説明は省略する。そして、保存処理終了後、ステップＴ８２において、画像編集画面を閉じる。
【００６８】
以上、画像編集方法について説明したが、本発明は上述の実施の形態に限定されること無く種々のバリエーションで実現することができる。  
例えば、本実施の形態ではリンク元の項目とリンク先の項目とが紐付けされるようなリンク方式を採用しているが、複数の項目を同一のグループにまとめてリンクしても良い。グループ化した場合は、同一グループに属する項目は同じ画像処理が施される。従って、同じグループに属する１つの項目について調整値を変更した場合は、その内容は他の項目についても反映される。
【００６９】
［実施の形態の効果］
本実施の形態によれば、次のような効果を奏することができる。  
色を変化させたい個所のみを画像上の位置で選択することができるので、色調整の不要な部分まで色が変わることを抑制することができる。  
また、通常の範囲選択と異なり、色を変更する部分と変更しない部分との色を滑らかに変化させることができるので自然な仕上がりにすることができる。  
更に、ユーザは仕上がりの画像を見ながら操作することができるので、画像処理の初心者にも容易に色調整を行うことができる。
【００７０】
なお、上述の実施の形態で説明した各機能は、ハードウエアを用いて構成しても良く、また、ソフトウエアを用いて各機能を記載したプログラムをコンピュータに読み込ませて実現しても良い。また、各機能は、適宜ソフトウエア、ハードウエアのいずれかを選択して構成するものであっても良い。
【００７１】
更に、各機能は図示しない記録媒体に格納したプログラムをコンピュータに読み込ませることで実現させることもできる。ここで本実施の形態における記録媒体は、プログラムを記録でき、かつコンピュータが読み取り可能な記録媒体であれば、その記録形式は何れの形態であってもよい。
【００７２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７３】
【図１】本発明の第１の実施の形態の画像編集方法による画像編集画面の構成を示す図。
【図２】調整内容グループを示す図。
【図３】明度・彩度・色相と赤・緑・青の関係を説明する図。
【図４】調整範囲グループを示す図
【図５】ぼかし度を説明する図。
【図６】調整位置情報グループを示す図。
【図７】色調整位置の選択操作を示す図。
【図８】色の再調整・追加調整の操作を示す図。
【図９】色調整のリンクを行う操作を示す図。
【図１０】個別範囲毎の微調整を行う操作を示す図。
【図１１】色調整のリンク解除の操作を示す図。
【図１２】色調整情報の削除の操作を示す図。
【図１３】画像処理装置の構成を示す図。
【図１４】画像編集処理のメインの処理手順を示すフロー図。
【図１５】画像編集処理のメインの処理手順を示すフロー図。
【図１６】画像読み込み処理手順を示すフロー図。
【図１７】画像保存処理手順を示すフロー図。
【図１８】元に戻す処理手順を示すフロー図。
【図１９】色変更位置の選択処理手順を示すフロー図。
【図２０】再調整・追加調整処理手順を示すフロー図。
【図２１】色調整のリンク処理手順を示すフロー図。
【図２２】色調整のリンク解除処理手順を示すフロー図。
【図２３】色調整情報の削除処理手順を示すフロー図。
【図２４】微調整処理手順を示すフロー図。
【図２５】編集終了処理手順を示すフロー図。
【符号の説明】
【００７４】
１…画像編集画面、２…ツールバーエリア、３…色調整設定表示エリア、４…編集画像表示エリア、６…調整内容グループ、７…調整範囲グループ、８…調整位置情報グループ、２１…ラジオボタン、２２…ステップスライダ、２３…範囲スライダ、２４…ぼかし度スライダ、２５…調整位置リスト、２６…リンクボタン、２７…リンク解除ボタン、２８…削除ボタン、２９…微調整スライダ、３０…画像処理装置、３１…表示部、３２…操作入力部、３３…通信インターフェース、３４…情報管理ＤＢ、３５…情報メモリ、３６…プログラムメモリ、３７…処理部。
【図１】
0004555745.tif 000002
【図２】
0004555745.tif 000003
【図３】
0004555745.tif 000004
【図４】
0004555745.tif 000005
【図５】
0004555745.tif 000006
【図６】
0004555745.tif 000007
【図７】
0004555745.tif 000008
【図８】
0004555745.tif 000009
【図９】
0004555745.tif 000010
【図１０】
0004555745.tif 000011
【図１１】
0004555745.tif 000012
【図１２】
0004555745.tif 000013
【図１３】
0004555745.tif 000014
【図１４】
0004555745.tif 000015
【図１５】
0004555745.tif 000016
【図１６】
0004555745.tif 000017
【図１７】
0004555745.tif 000018
【図１８】
0004555745.tif 000019
【図１９】
0004555745.tif 000020
【図２０】
0004555745.tif 000021
【図２１】
0004555745.tif 000022
【図２２】
0004555745.tif 000023
【図２３】
0004555745.tif 000024
【図２４】
0004555745.tif 000025
【図２５】
0004555745.tif 000026